(57)【特許請求の範囲】
【請求項１】
縦横方向に配設する桁部材と上下方向に配設する支柱部材とを接続するための接続部材であって、接続部材を、桁部材、支柱部材に対応させた内外寸法に形成してなる略Ｕ字溝状の接続本体と、支柱部材に取り付けて桁部材を支持するブロック体と、接続本体における溝底部を挟んで対向する両側壁の溝底部側と反対方向の側壁上端部側を互いが接近する方向に絞るための締め付け手段とから構成して、接続部材による桁部材と支柱部材との接続は、桁部材における一方の端面を接続本体における溝内底部に対向させて同桁部材の端部乃至端部近傍を接続本体の側壁における側壁上端部乃至側壁上端部近傍に、かつ同接続本体の溝内底部と桁部材の端部との間に支柱部材が通過できる間隙を設けて固定し、次いで、支柱部材における一方の端部から所定の距離を空けた側壁外面にブロック体を固定し、次いで、支柱部材におけるブロック体を接続本体における溝上方部開口側に向けて、かつブロック体よりも端部側の部位を桁部材の下方に入れ込み同ブロック体が桁部材に当接するまで支柱部材を接続本体における溝内に挿通し、次いで、締め付け手段によって接続本体の桁部材が位置していない部位における両側壁の側壁上端部側を互いが接近する方向に絞り、同両側壁で支柱部材を締め付けることができるように構成してなる接続部材。
【請求項２】
前記桁部材を、接続本体における溝方向の端部乃至端部寄りに位置させて固定してなる請求項１に記載の接続部材。
【請求項３】
前記接続本体における桁部材の固定部位を、桁部材の外形に合わせて切り欠いてなる請求項１に記載の接続部材。
【請求項４】
前記接続本体における溝底部を挟んで対向する両側壁の溝底部側と反対方向の側壁上端部を、同溝内に挿通する支柱部材よりも高い位置となるように構成してなる請求項１に記載の接続部材。
【請求項５】
前記ブロック体を支点に、締め付け手段によって接続本体の桁部材が位置していない部位における両側壁の側壁上端部側を互いが接近する方向に絞ってなる請求項１に記載の接続部材。
【発明の詳細な説明】
【技術分野】
【０００１】
本発明は、建造物の骨組みとなる縦横方向に配設する桁部材と上下方向に配設する支柱部材とを接続するための接続部材に関し、より詳しくは、大なる荷重が掛かるイベント等において用いられるステージや倉庫において物品の保管棚として用いられるステージ等にも使用できる接続部材に関する。
【背景技術】
【０００２】
従来、イベント等において用いられるステージや倉庫において物品の保管棚として用いられるステージは、縦横方向に配設される桁部材と上下方向に配設される支柱部材から構成した支持台の桁部材上に適当な床パネルを取り付け、同支持台を多数並べて用いている。
【０００３】
また支持台は、ステージ上の荷重や振動による揺れに抗して同ステージを安全に支えなければならないため、工場にて支持台を製造する際に、支持台の縦横方向に配設される桁部材と上下方向に配設される支柱部材とを溶接によって接続しているため、桁部材と支柱部材とが強固に、かつガタ付きなく固定されていて、ステージの床パネル上の人や物品を安全に支えることができている。
【０００４】
しかしながら、支持台の輸送や保管の際は、支持台の縦横方向に配設される桁部材と上下方向に配設される支柱部材とが溶接により接続されているため桁部材と支柱部材を分離することができず、したがって輸送の際は一度に輸送できる数量が限られ、また保管の際は広いスペースが必要となり、さらには所望の高さに合わせて支柱部材の長さを適宜選択するという自由度もないものであった。
【０００５】
このことから、例えば、特許文献１に記載されているもののように、４本ある支柱部材の内でそれぞれ２本の支柱部材をトラス構造により一体にして強度を持たせ、桁部材と支柱部材とを分離できるようにしたものもあるが、ステージは、同ステージにおける床パネル下方のステージ設置床面上に置く物品の出し入れに際し、少なくともステージの前後もしくは左右の一方向を運搬機が通過できるようにしてあるので、同運搬機の通過方向に対し直交方向にガタ付きが生じる恐れがあった。
【０００６】
【特許文献１】特開２００７−５５７８４号公報（第１〜９頁、図１〜図１２）
【発明の開示】
【発明が解決しようとする課題】
【０００７】
本発明は、  支持台の縦横方向に配設される桁部材と上下方向に配設される支柱部材とをガタ付きを無いに等しく接続でき、また、桁部材と支柱部材を分離する際も支柱部材を１本ずつに分離できるようにして、支持台を輸送する際の数量をより多くでき、また、少ないスペースで充分に保管できるとともに支柱部材を所望の長さのものに交換することによって適用範囲の自由度が高く、さらに、ステージ設置床面上に置く物品の出し入れに際して運搬機がステージの前後左右いずれの方向にも通過できる接続部材を提供できるようにした。
【課題を解決するための手段】
【０００８】
上述した課題を解決するために、本発明に係る接続部材は、縦横方向に配設する桁部材と上下方向に配設する支柱部材とを接続するための接続部材であって、接続部材は、桁部材、支柱部材に対応させた内外寸法に形成してなる略Ｕ字溝状の接続本体と、支柱部材に取り付けて桁部材を支持するブロック体と、接続本体における溝底部を挟んで対向する両側壁の溝底部側と反対方向の側壁上端部側を互いが接近する方向に絞るための締め付け手段とから構成して、接続部材による桁部材と支柱部材との接続は、桁部材における一方の端面を接続本体における溝内底部に対向させて同桁部材の端部乃至端部近傍を接続本体の側壁における側壁上端部乃至側壁上端部近傍に、かつ同接続本体の溝内底部と桁部材の端部との間に支柱部材が通過できる間隙を設けて固定し、次いで、支柱部材における一方の端部から所定の距離を空けた側壁外面にブロック体を固定し、次いで、支柱部材におけるブロック体を接続本体における溝上方部開口側に向けて、かつブロック体よりも端部側の部位を桁部材の下方に入れ込み同ブロック体が桁部材に当接するまで支柱部材を接続本体における溝内に挿通し、次いで、締め付け手段によって接続本体の桁部材が位置していない部位における両側壁の側壁上端部側を互いが接近する方向に絞り、同両側壁で支柱部材を締め付けることができるようにしたものとしてある。
【０００９】
また前記桁部材を、接続本体における溝方向の端部乃至端部寄りに位置させて固定したものとしてある。
【００１０】
また前記接続本体における桁部材の固定部位を、桁部材の外形に合わせて切り欠いたものとしてある。
【００１１】
また前記接続本体における溝底部を挟んで対向する両側壁の溝底部側と反対方向の側壁上端部を、同溝内に挿通する支柱部材よりも高い位置となるように構成したものとしてある。
【００１２】
さらに前記ブロック体を支点に、締め付け手段によって接続本体の桁部材が位置していない部位における両側壁の側壁上端部側を互いが接近する方向に絞るものとしてある。
【発明の効果】
【００１３】
本発明の接続部材によれば、桁部材と支柱部材とを接続するに際し、接続部材の本体となる接続本体を桁部材側に固定し、接続本体と桁部材側を一体にしているので、桁部材と接続本体とのガタ付きを無いに等しくできる。
【００１４】
そして、前述した接続本体と桁部材とを固定する際には、接続本体の溝底部と桁部材の端部との間に支柱部材が通過できる間隙を設けて固定しているため、この桁部材と一体になった接続本体に次いで接続する支柱部材の端部寄りを同間隙内に挿入でき、さらに支柱部材の側壁が、締め付け手段により絞られた接続本体の両側壁によって締め付けられるので、少なくとも接続本体の両側壁面によって支柱部材の接続本体における側壁上端部側の側壁角部がしっかりと保持されるとともに、支柱部材が接続本体の溝内底部に押圧されることから、支柱部材を同支柱部材の支持部位となる接続本体における溝内底部の全域で支持でき、したがって支柱部材においてもガタ付きを無いに等しく支持できる。
【００１５】
また、接続本体と支柱部材との接続固定は、接続本体の両側壁面が支柱部材の接続本体における側壁上端部側の側壁角部を押圧して接続固定するようにしているので、接続本体の溝内に挿通する支柱部材の幅に対し接続本体の両側壁間を幅広くすることができ、したがって組み立ての際に支柱部材を接続本体の溝内にスムースに挿通することができる。
【００１６】
さらに、支柱部材による桁部材の支持を、支柱部材に固定するブロック体で支持しているので、従来のように、支柱部材と桁部材を接続するボルトにより桁部材を支えるものと比して、大なる荷重が掛かる桁部材を安定、かつしっかりと支えることができる。
【００１７】
そして、桁部材と支柱部材とを分離できるとともに、支柱部材が１本ずつになるので、支持台を輸送する際、一度に輸送できる数量をより多くでき、また、保管の際も少ないスペースで充分に保管できる。
【００１８】
これらのことから、大なる荷重が掛かるイベント等において用いられるステージや倉庫において物品の保管棚として用いられるステージは勿論のこと、プレハブハウス等の建物における骨組みを接続する際の接続部材としても応用できる。
【発明を実施するための最良の形態】
【００１９】
以下、本発明の接続部材を添付図面に基づいて説明する。
図１は、接続部材１の構成を示しており、内外寸法を桁部材、支柱部材に対応させて形成した接続本体２と、支柱部材に取り付けて桁部材を支持するブロック体７と、接続本体２における溝底部３ａを挟んで対向する両側壁４の溝底部３ａ側と反対方向の両側壁４上端部側を互いが接近する方向に絞るための締め付け手段たるボルト１０、ナット１１の締め付け部材９から構成していて、例えば図２に示すようなステージ１５の床１６を支えるため数並べた支持台１７を組み立てる際に、支持台１７の構成部材である図３に示すような桁部材１２、１３、支柱部材１４のそれぞれを接続するためのものである。
【００２０】
実施例に示している接続部材１は、請求項２から請求項５の形態を有するものであって、桁部材１２を接続本体２の端部に固定しているとともに、桁部材１２の固定部位を桁部材１２の外形に合わせて切り欠いて（切り欠き部６）、接続本体２と桁部材１２とを溶接して固定する際に、桁部材１２の少なくとも２辺が接続本体２と溶接できるようにして、固定の強度がより上がるようにしている。
【００２１】
また、接続本体２の溝底部３ａを挟んで対向する両側壁４の溝底部３ａ側と反対方向の側壁４上端部を、溝３内に挿通する支柱部材１４よりも高なる位置にしていて、また両側壁４には、支柱部材１４よりも高なる位置に締め付け手段たるボルト１０の通孔８を設けている。
【００２２】
そして、支柱部材１４に固定したブロック体７に、前記締め付け手段たるボルト１０が通過できる通孔８を設けていて、ブロック体７を支点に、ブロック体７の通孔８、接続本体２における側壁４の通孔８に挿通したそれぞれのボルト１０とボルト１０に螺合するナット１１とによる締め付けにより、両側壁４の上端部側を互いが接近する方向に絞れるようにしている。
【００２３】
しかしながら、実施例では示していないが、強度をそれほど必要としない場合は、接続本体２に切り欠き部６を形成しないで、桁部材１２の端部乃至端部近傍を接続本体２の両側壁４もしくは一方の側壁４における端部乃至端部近傍に固定する場合もある。
【００２４】
また桁部材１２を接続本体２の端部に固定しないで、接続本体２の中程に固定する場合もある。
【００２５】
本実施例では、接続部材１と桁部材１２、１３との固定の方法を溶接としているが、これらを形成する素材により、溶接ではなく一般的な接着剤を用いて固定する場合もある。
【００２６】
また、ブロック体７の通孔８、接続本体２における側壁４の通孔８に挿通したそれぞれのボルト１０と、同ボルトに螺合するナット１１とによる締め付けにより、両側壁４の上端部側を互いが接近する方向に絞るようにするのではなく、例えば、クランプ具のような構造の締め付け具により、接続本体２における両側壁４の上端部側を互いが接近する方向に絞るようにする場合もある。
【００２７】
次に、図１に示す本発明の接続部材１を用いて、図３に示す桁部材１２、１３と支柱部材１４との接続工程を、図４から図８により説明する。
【００２８】
先ず、縦横方向に配設する桁部材１２における一方の端面を接続本体２における溝３の溝底部３ａに対向させて、桁部材１２の端部と長手方向の辺部を接続本体２の切り欠き部６に、かつ接続本体２の溝底部３ａと桁部材１２の端部との間に後で挿入する支柱部材１４が通過できる間隙を設けて溶接固定し、さらに桁部材１３を、接続本体２の側壁４外面における所定の位置に溶接固定する（図４）。
【００２９】
次いで、支柱部材１４における一方の端部から所定の距離を空けた側壁外面にブロック体７を溶接固定する（図５）。
【００３０】
次いで、支柱部材１４におけるブロック体７を接続本体２における溝３上方部開口側に向け、かつブロック体７よりも端部側の部位を桁部材１２の下方に入れ込みブロック体７が桁部材１２に当接するまで支柱部材１４を接続本体２における溝３内に挿通する（図６）。
【００３１】
次いで、締め付け手段たる締め付け部材９のボルト１０を、接続本体２の外方から接続本体２の側壁４における通孔５、ブロック体７の通孔８に挿通する（図７）。
【００３２】
次いで、接続本体２の側壁４における通孔５、ブロック体７の通孔８に挿通したボルト１０にナット１１を螺合し、ボルト１０とボルト１０に螺合するナット１１とによる締め付けにより、接続本体２における両側壁４の上端部側を互いが接近する方向（図中の矢印方向）に絞る（図８）。
【００３３】
これにより、接続部材１の本体となる接続本体２と桁部材１２、１３とが溶接で固定されて一体となり、また、支柱部材１４のブロック体７よりも端部側の部位が接続本体２の溝底部３ａと桁部材１２の端部との間に有する隙間に入り込み、またボルト１０にナット１１とによる締め付けにより絞られた接続本体２の両側壁４によって支柱部材１４の側壁角部がしっかりと保持されるとともに、支柱部材１４が接続本体２の溝底部３ａ内面に押圧されるため、支柱部材１４を、支柱部材１４の支持部位となる接続本体２における溝底部３ａ内面の全域で支持することができ、したがって前記桁部材１２、１３、支柱部材１４をガタ（遊び）が無いに等しい状態で支持することができる。
【００３４】
さらに、支柱部材１４による桁部材１２、１３の支持を、支柱部材１４に固定するブロック体７で支持しているので、大なる荷重が掛かる桁部材１２、１３を安定、かつしっかりと支えることができる。
【００３５】
また、図７におけるボルト１０の挿通方向を、ブロック体７の内方からブロック体７の通孔８、接続本体２の側壁４における通孔５に挿通する場合もある。
【図面の簡単な説明】
【００３６】
【図１】本発明に係る接続部材の構成を示す斜視図。
【図２】支持台の一例を示す斜視図。
【図３】各接続部材を示す斜視図。
【図４】本接続部材による接続工程を示す図。
【図５】本接続部材による接続工程を示す図。
【図６】本接続部材による接続工程を示す図。
【図７】本接続部材による接続工程を示す図。
【図８】本接続部材による接続工程を示す図。
【符号の説明】
【００３７】
１  接続部材
２  接続本体
３  溝
３ａ  溝底部
４  側壁
５  通孔
６  切り欠き部
７  ブロック体
８  通孔
９  締め付け部材
１０  ボルト
１１  ナット
１２  桁部材
１３  桁部材
１４  支柱部材
１５  ステージ
１６  床
１７  支持台
【図１】
0005216419.tif 000002
【図２】
0005216419.tif 000003
【図３】
0005216419.tif 000004
【図４】
0005216419.tif 000005
【図５】
0005216419.tif 000006
【図６】
0005216419.tif 000007
【図７】
0005216419.tif 000008
【図８】
0005216419.tif 000009